(57)【特許請求の範囲】
【請求項１】
情報を入力するための情報入力画面を表示するための表示手段と、
前記表示手段に重畳して配置され、前記情報入力画面上の指定される位置を特定するための入力手段と、を備える情報入力装置であって、
所定のキーが押された場合、前記表示手段が、文字、記号及び図形の少なくとも１つを含む所定領域を含む第１画面を表示し、
前記入力手段により前記所定領域内の位置が特定された場合、前記表示手段は第２画面を表示し、
前記所定領域は、前記第２画面への移行を示す情報が表示されず、
前記所定のキーが第１の押下方法又は第２の押下方法で押された場合、前記表示手段が前記第１画面を表示し、
前記第１の押下方法で前記所定のキーが押されて表示された前記第１画面の前記所定領域内の位置が、前記入力手段により特定された場合には、前記表示手段は前記第２画面を表示し、
前記第２の押下方法で前記所定のキーが押されて表示された前記第１画面の前記所定領域内の位置が、前記入力手段により特定された場合には、前記表示手段は前記第２画面を表示しないことを特徴とする情報入力装置。
【請求項２】
前記第１の押下方法は、長押し、及び、同じキーを複数回連続して押す連続押しの内の一方であり、
前記第２の押下方法は、前記長押し及び前記連続押しの内の他方であることを特徴とする請求項１に記載の情報入力装置。
【請求項３】
前記所定のキーが、前記入力手段とは別に設けられたハードキー、又は、前記表示手段に表示された部分画像と該部分画像に対応する前記入力手段の領域とで構成されるソフトキーであることを特徴とする請求項１又は２に記載の情報入力装置。
【請求項４】
画像処理装置に接続され、
前記画像処理装置を操作するユーザの入力を受ける操作手段をさらに備え、
前記入力手段および前記所定のキーが前記操作手段を構成し、
前記入力手段がタッチパネルであり、
前記所定のキーがハードキーであることを特徴とする請求項１から３の何れか１項に記載の情報入力装置。
【請求項５】
請求項１から４の何れか１項に記載された情報入力装置を備え、
前記情報入力装置を介してユーザの操作を受ける画像処理装置。
【発明の詳細な説明】
【技術分野】
【０００１】
本発明は、情報入力装置及び画像処理装置に関し、特に、特殊モードに移行する機能を有する情報入力装置及びそれを備えた画像処理装置に関する。
【背景技術】
【０００２】
従来、複写機、複合機などの画像処理装置では、操作および設定を容易にするために、液晶表示パネルの表面に透過性のタッチパネルを重ねて配置した操作パネルが使用されることが多い。液晶表示パネル上に適時状態を表示させ、その表示内容に応じてタッチパネルを操作することで、画像処理装置の動作を設定することなどができる。例えば、図１に示したように、画像処理装置に機能を実行させるための操作装置である情報入力装置１００は、表示部１０２とテンキーなど多くのハードキーにより構成されていた。
【０００３】
しかし、近年、操作パネルのコンパクト化、表示部の大型化、更には表示部をタッチすることで操作を行なうことが求められており、図２の情報入力装置１１０のように、少しのハードキー１１２とタッチパネルを備えた表示部１１４とに変わりつつある。図２では、ハードキーは２つしかなく、ユーザは表示部１１４をタッチすることで各種の操作を行なう。例えば、「コピー」、「ファクス／イメージ送信」、「ドキュメントファイリング」と表示された領域がタッチされると、対応するモードの画面に切り替わる。切り替わった画面には、白黒コピースタートキー及びカラーコピースタートキーが表示される。
【０００４】
このように構成された画像処理装置の中には、その装置の詳細な設定などを行なうために一般ユーザには操作が知らされていない特殊モード（以下、スペシャルモードともいう）を備え、特別な知識を持ったサービス担当者などが、画像処理装置の設定、調整などを行なえるようにしたものがある。そのような画像処理装置では、サービス担当者が予め画像処理装置に設定された操作パネルのハードキーの押下の組み合わせにより、更には認証機能を設け、所定のパスワードによって認証をパスした場合に限りスペシャルモードに移行できる。この様な機能を設けることによって、画像処理装置の設定が容易に変更されることを防止していた。
【０００５】
容易な変更を防止する方法に関して、例えば下記特許文献１には、パスワードを入力する仮想キーに、その仮想キーに割り当てられた情報とは異なる情報を表示する（例えば、特許文献１の図５において入力したい情報が「１」の場合、「キーＡ」の文字が表示されている仮想キーを押下する）ことを開示している。
【先行技術文献】
【特許文献】
【０００６】
【特許文献１】特開２００６−２６８６２３号公報
【発明の概要】
【発明が解決しようとする課題】
【０００７】
一般ユーザによる操作によってスペシャルモード画面に容易に入られないようにしなければならない。操作パネルが図１から図２のように変更されると、ハードキーが少なくなるため、特に対策が必要である。
【０００８】
更に、パスワードによる認証機能を設定しても、十分な安全性を確保できない問題がある。特に、パスワードの桁数が少ない場合に問題があり、桁数を多くすると、安全性は高くなるが、入力操作が煩雑になり、入力ミスが多くなる問題もある。
【０００９】
また、上記特許文献１に開示された方法では、「キーＡ」と表示される仮想キーには、所定の情報が割り当てられており、仮想キーの表示（キーＡなど）と割り当てられた情報とは無関係ではなく、何らかの相関関係がある。更に、その仮想キー（キーＡなど）の表示は、入力を要求する形態（例えば、操作ボタンのような形）で表示される。そのため、一般ユーザによる何らかの操作によってパスワードが解除され、特殊モード画面に移行してしまう危険性は十分にある。
【００１０】
従って、本発明は、特別な方法を用いることなく簡単に、一般ユーザによって装置の設定が容易に変更されることを防止することができる情報入力装置及び画像処理装置を提供することを目的とする。
【課題を解決するための手段】
【００１１】
上記の目的は、下記によって達成することができる。なお、下記において括弧を付して図面番号を記載するが、これは本発明の理解を容易にするためであり、本発明を限定することを意図したものではない。
【００１２】
即ち、本発明に係る情報入力装置は、情報を入力するための情報入力画面を表示するための表示手段と、表示手段に重畳して配置され、情報入力画面上の指定される位置を特定するための入力手段と、を備える情報入力装置であって、所定のキーが押された場合、表示手段が、文字、記号及び図形の少なくとも１つを含む所定領域を含む第１画面（図７）を表示し、入力手段により所定領域内の位置が特定された場合、表示手段は第２画面（図９又は図１０）を表示し、所定領域は、第２画面への移行を示す情報が表示されない。
【００１３】
ここで、所定領域は、第２画面を示す情報を含まないことができる。
【００１４】
また、所定領域内の情報は、年、月、日、曜日及び時刻からなる群の中から選択される少なくとも１つの情報を含むことができる。
【００１５】
また、所定領域内の情報は、温度及び湿度の少なくとも１つの情報を含んでもよい。
【００１６】
また、第１画面は、第３画面（図８）が表示されることが意図された文字、記号及び図形の少なくとも１つの情報をさらに含むことができる。
【００１７】
また、情報入力装置は画像処理装置に接続され、第３画面は、画像処理装置の状態を示す情報を表示する画面であることができる。
【００１８】
また、情報入力装置は画像処理装置に接続され、第２画面は、パスワード入力画面、又は、画像処理装置の設定若しくはテストを行なうための特殊画面であることができる。
【００１９】
また、情報入力装置は画像処理装置に接続され、第２画面はパスワード入力画面（図９）であり、パスワード入力画面を介して認証をパスした場合、表示手段は、画像処理装置の設定又はテストを行なうための特殊画面（図１０）を表示することができる。
【００２０】
ここで、所定領域は、特殊画面への移行を示す情報が表示されないことができる。
【００２１】
また、所定領域は、第１画面の何れかの隅に位置することができる。
【００２２】
また、所定のキーが、予め定められた所定の方法で押された場合、表示手段は第１画面を表示することができる。
【００２３】
また、所定の方法は、所定のキーを長押し、または、複数回連続押しする方法であることができる。
【００２４】
また、所定のキーが第１の押下方法又は第２の押下方法で押された場合、表示手段は第１画面を表示し、第１の押下方法で所定のキーが押されて表示された第１画面の所定領域内の位置が、入力手段により特定された場合には、表示手段は第２画面を表示し、第２の押下方法で所定のキーが押されて表示された第１画面の所定領域内の位置が、入力手段により特定された場合には、表示手段は第２画面を表示しないことができる。
【００２５】
ここで、第１の押下方法は、長押し、及び、同じキーを複数回連続して押す連続押しの内の一方であり、第２の押下方法は、長押し及び連続押しの内の他方であることができる。
【００２６】
また、所定のキーは、入力手段とは別に設けられたハードキー、又は、表示手段に表示された部分画像と該部分画像に対応する入力手段の領域とで構成されるソフトキーであることができる。
【００２７】
また、所定のキーは、入力手段とは別に設けられたハードキーであり、所定キーが長押しされている間のみ、表示手段は第１画面を表示することができる。
【００２８】
また、上記の情報入力装置は、画像処理装置に接続され、画像処理装置を操作するユーザの入力を受ける操作手段をさらに備え、入力手段および所定のキーが操作手段を構成し、入力手段がタッチパネルであり、所定のキーがハードキーであることができる。
【００２９】
また、本発明に係る画像処理装置は、上記の情報入力装置を備え、情報入力装置を介してユーザの操作を受ける。
【発明の効果】
【００３０】
本発明によれば、一般ユーザが特殊モードを起動してしまう可能性を低減し、画像処理装置の設定が一般ユーザによって容易に変更されることを防止することが可能となる。
【００３１】
そして、画像処理装置が通常備えている操作パネル及び表示パネルからなる情報入力装置を用い、制御プログラムの変更のみで対応可能であるので、特別な方法を用いることなく簡単に、画像処理装置の設定が容易に変更されることを防止することができる。
【００３２】
また、特殊画面を表示する前に、パスワード入力画面が表示されるようにすることによって、画像処理装置の設定が容易に変更されることを、より確実に防止することができる。
【００３３】
また、特殊モードに移行するための第１画面を表示するきっかけとなるキーの押下方法に応じて、第１画面における特殊モードの起動機能の有効／無効を切り換えることによって、画像処理装置の設定が容易に変更されることを、より高い確度で防止することができる。
【００３４】
また、第１画面が表示されるたびに、複数の所定領域が表示される位置を変更して第１画面を表示することによって、画像処理装置の設定が容易に変更されることを、より高い確度で防止することができる。
【図面の簡単な説明】
【００３５】
【図１】従来の画像処理装置が備える情報入力装置を示す平面図である。
【図２】少数のハードキーを備える情報入力装置を示す平面図である。
【図３】本発明の実施の形態に係る画像処理装置の外観を示す斜視図である。
【図４】図３に示した画像処理装置のハードウェア構成を示す機能ブロック図である。
【図５】図３に示した画像処理装置が備える情報入力装置を示す平面図である。
【図６】図５に示した情報入力装置においてプログラムキーが通常の押し方で押された場合に表示される画面の一例を示す図である。
【図７】図５に示した情報入力装置においてプログラムキーが通常と異なる押し方で押された場合に表示される画面の一例を示す図である。
【図８】図７に示した画面上で「総使用枚数表示」の領域が押された場合に表示される画面の一例を示す図である。
【図９】図７に示した画面上で所定の領域が押された場合に表示される画面の一例を示す図である。
【図１０】特殊画面の一例を示す図である。
【図１１】図１０の特殊画面で“００１”が入力された場合に表示される画面の一例を示す図である。
【図１２】図１０の特殊画面で“００２”が入力された場合に表示される画面の一例を示す図である。
【図１３】本発明の実施の形態に係る画像処理装置において、特殊モードに移行する処理を実現するためのプログラムの制御構造を示すフローチャートである。
【図１４】本発明の実施の形態に係る画像処理装置において、特殊モードに移行する処理を実現するための別のプログラムの制御構造を示すフローチャートである。
【図１５】プログラムキーが通常と異なる押し方で押されたときに表示される画面の別の例を示す図である。
【図１６】プログラムキーが通常と異なる押し方で押されたときに表示される画面の別の例を示す図であって、図１５とは画面隅の十字の配置が異なる図である。
【図１７】図１５または図１６に示した画面を介して特殊モードに移行する処理を実現するためのプログラムの制御構造を示すフローチャートである。
【図１８】図１７に示したフローチャートにおける「他のキーの処理」を実現するためのプログラムの制御構造を示すフローチャートである。
【図１９】プログラムキーが通常と異なる押し方で押されたときに表示される画面のさらに別の例を示す図である。
【図２０】プログラムキーが通常と異なる押し方で押されたときに表示される画面のさらに別の例を示す図であって、図１９とは画面隅のＲＧＢの配置が異なる図である。
【図２１】図１９または図２０に示した画面を介して特殊モードに移行する処理を実現するためのプログラムの制御構造を示すフローチャートである。
【図２２】図２１に示したフローチャートにおける「他のキーの処理」を実現するためのプログラムの制御構造を示すフローチャートである。
【図２３】図２１に示したフローチャートにおける「特殊モード移行処理」を実現するためのプログラムの制御構造を示すフローチャートである。
【図２４】プログラムキーが長押しされたときの処理を実現するためのプログラムの制御構造を示すフローチャートである。
【図２５】図５に示した情報入力装置においてプログラムキーが通常と異なる押し方で押された場合に表示される画面の一例を示す図である。
【図２６】図５に示した情報入力装置においてプログラムキーが通常と異なる押し方で押された場合に表示される画面の一例を示す図である。
【図２７】図５に示した情報入力装置においてプログラムキーが通常と異なる押し方で押された場合に表示される画面の一例を示す図である。
【図２８】図５に示した情報入力装置においてプログラムキーが通常と異なる押し方で押された場合に表示される画面の一例を示す図である。
【図２９】図５に示した情報入力装置においてプログラムキーが通常と異なる押し方で押された場合に表示される画面の一例を示す図である。
【発明を実施するための形態】
【００３６】
以下の説明及び図面において、同一の部品には同一の参照番号を付してある。それらの名称及び機能も同一である。従って、それらについての詳細な説明は繰り返さない。
【００３７】
以下、本発明の実施の形態について、添付図面を参照して具体的に説明する。
【００３８】
＜画像処理装置＞
図３を参照して、本発明の実施の形態に係る画像処理装置１５０は、原稿読取部１５２、画像形成部１５４、給紙部１５６、排紙トレイ１６８を有する排紙処理装置１５８、及び、情報入力装置１６６を備える。情報入力装置１６６は、画像処理装置１５０に所定の機能を実行させるための操作装置であり、画像処理装置１５０に関する種々の設定を行なうためのものであって、操作パネル１７０及び表示パネル１７２を有している。
【００３９】
＜ハードウェアブロック＞
図４を参照して、画像処理装置１５０は内部に、画像処理装置１５０全体を制御するＣＰＵ１８０と、プログラム等を記憶するためのＲＯＭ（Ｒｅａｄ  Ｏｎｌｙ  Ｍｅｍｏｒｙ）１８２と、揮発性の記憶装置であるＲＡＭ（Ｒａｎｄｏｍ  Ａｃｃｅｓｓ  Ｍｅｍｏｒｙ）１８４と、通電が遮断された場合にもデータを保持する不揮発性記憶装置であるＨＤＤ（Ｈａｒｄ  Ｄｉｓｋ  Ｄｒｉｖｅ）１８６とを備えている。ＲＯＭ１８２には、画像処理装置１５０の動作を制御するのに必要なプログラム及びデータが記憶されている。
【００４０】
画像処理装置１５０はさらに、画像処理部１８８、画像メモリ１９０、バス１９２、及びＮＩＣ（Ｎｅｔｗｏｒｋ  Ｉｎｔｅｒｆａｃｅ  Ｃａｒｄ）１９４を備えている。ＣＰＵ１８０、ＲＯＭ１８２、ＲＡＭ１８４、ＨＤＤ１８６、情報入力装置１６６、ＮＩＣ１９４、原稿読取部１５２、画像処理部１８８、画像メモリ１９０、画像形成部１５４などは、バス１９２に接続されている。各部間のデータ（制御情報を含む）交換は、バス１９２を介して行なわれる。ＣＰＵ１８０は、バス１９２を介してＲＯＭ１８２からプログラムをＲＡＭ１８４上に読み出して、ＲＡＭ１８４の一部を作業領域としてプログラムを実行する。即ち、ＣＰＵ１８０は、ＲＯＭ１８２に格納されているプログラムに従って画像処理装置１５０を構成する各部の制御を行ない、画像処理装置１５０の各機能を実現する。ＮＩＣ１９４は、外部のネットワーク１９６に接続されており、ネットワーク１９６を介して通信を行なうためのインターフェイスである。なお、画像処理装置１５０の一般的機能は、特開２０１０−１６９７３８号公報などに開示されているように公知であるので、ここで詳細説明を繰り返すことはしない。
【００４１】
＜情報入力装置＞
図５を参照して、情報入力装置１６６は、操作パネル１７０及び表示パネル１７２の両者により一体構成されている。具体的には、操作パネル１７０は、テンキー２２０、プログラムキー２２８、印刷処理の開始を指示するためのスタートキー（白黒印刷スタートキー２２２、カラー印刷スタートキー２２４）、全解除キー２２６、及びその他の操作キーを備えており、これらのキーは情報入力装置１６６の右側領域に配置されている。これに対して、表示パネル１７２は、情報入力装置１６６の左側領域に配置されており、液晶ディスプレイ等の表示装置とタッチパネルとを重ねて構成されている。図５に示した表示パネル１７２には待機画面が表示されている。なお、本明細書において、画面とは、液晶ディスプレイ等の表示面に表示される画像を意味することとする。
【００４２】
この情報入力装置１６６においては、表示パネル１７２の表示によって、本画像処理装置１５０の状態及びジョブの処理状況等の確認が行なわれる。表示パネル１７２の表示面に表示された選択キーを、表示面上に重ねられたタッチパネル上で選択する（タッチパネル上の該当部分を押す）ことによって、本画像処理装置１５０の機能設定及び動作指示等ができる。
【００４３】
液晶ディスプレイ等とタッチパネルとを重ねて配置した装置において、表示された選択キーが押されたか否かを判定するには、公知技術を用いればよい。例えば、タッチパネルの２次元座標と、液晶ディスプレイ等の２次元座標との対応関係を予め定めておき、タッチパネル上で押された位置が、液晶表示装置に表示された文字、図形などの領域に含まれるか否かを判定すればよい。なお、表示パネル１７２上の「キー」とは、表示された図形などの領域又はそれを含む所定領域と、それらの領域に重なるタッチパネル上の部分とを意味する。
【００４４】
［第１の実施の形態］
上記した画像処理装置１５０において、特殊モードに移行するための画面を表示する第１の実施の形態に関して以下に説明する。
【００４５】
＜表示パネルの画面表示例＞
図６は、図５に示した情報入力装置１６６において、プログラムキー２２８が通常の押し方で押された場合、即ち、所定の時間未満の短い時間（例えば、２秒未満）１回押された場合に、表示パネル１７２に表示される画面の一例を示す図である。図６のジョブプログラム画面２３０は、種々のコピー条件の設定をジョブプログラムとして登録しておき、使用したいときに呼び出すための画面である。呼び出しキー２３４を押し、番号キー２３２のうちのジョブプログラムが登録されている番号キーを押せば、該当するプログラムが呼び出される。登録／消去キー２３６を押し、新たにジョブプログラムを登録したい番号キーを押せば、コピー条件の設定画面が表示される。
【００４６】
一方、図７は、図５に示した情報入力装置１６６において、プログラムキー２２８が通常と異なる押し方で押された場合に、表示パネル１７２に表示される画面の第１の例を示す図である。通常と異なる押し方には、例えば、ダブルクリック（所定の短い時間間隔で同じキーを２回連続して押す方法）、長押し（所定の時間以上、例えば２秒以上押された状態を維持する方法）などがある。図７の画面２４０から、ユーザは画像処理装置１５０の状態表示および設定を行なうことができる。即ち、「総使用枚数表示」、「宛先登録」、「ドキュメントファイリング登録」または「給紙トレイ設定」が表示された領域を押すと、対応する情報の表示または設定のための画面が表示される。「総使用枚数表示」が表示された領域を押すと、図８の画面が表示される。
【００４７】
例えば、図８に示した画面２５０では、消耗品である用紙の総使用枚数が表示されている。即ち、白黒印刷した枚数が２５３枚であり、フルカラー印刷した枚数が１００枚であることが示されている。右上のＣＬＯＳＥキー２５２が押されると、図７の画面２４０に戻る。
【００４８】
図９は、図７の画面２４０の右下の年月日及び時刻が表示された領域（以下、日時表示領域という）２４２がタッチされたときに、表示されるパスワード入力画面２６０を示す。例えばテンキー２２０が操作されると、入力を表す記号（＊）がパスワード入力領域２６２に表示され、正しいパスワードが入力されてＯＫキー２６６が押されると、特殊モードに移行し、特殊画面が表示される。キャンセルキー２６４が押された場合、待機画面（図５参照）が表示される。
【００４９】
図７の画面２４０は、「総使用枚数表示」、「宛先登録」、「ドキュメントファイリング登録」または「給紙トレイ設定」キーを押すとそれに対応した画面を表示する画面であるが、この画面に、押されるとパスワード入力画面２６０を表示する日時表示領域を表示したのは、次の理由からである。通常、図７の画面が表示されるとユーザは、選択可能な「総使用枚数表示」、「宛先登録」、「ドキュメントファイリング登録」または「給紙トレイ設定」キー表示に注目してしまうため、日時表示領域２４２の文字（年月日）が表示されていることは知覚されにくい。従って、日時表示領域２４２の文字を簡単にタッチすることがなく、簡単に特殊モードに移行することを防ぐことができる。
【００５０】
特殊画面は、サービス担当者など許可された者が、画像処理装置１５０の設定、調整などを行なうための画面である。設定、調整内容は画像処理装置１５０の機能に応じて適宜定められるものであり、当業者にはその内容は明らかである。例えば、図１０に示した特殊画面２７０では、設定項目又はテスト項目が、先頭の３桁の数字と共にリスト表示されている。設定項目などは、右側に表示されたテンキーなどによって指定される。図１０の左上方には、テンキーによって入力された“００１”が反転表示されている。“００１”が入力された場合、図１１の画面が表示され、“００２”が入力された場合、図１２の画面が表示される。
【００５１】
図１１に示した画面２８０は、テストモードを実行させる選択画面である。画面２８０の左側に、各テストモードが番号と共にリスト表示されている。例えば、Ｎｏ．０１は、スキャナのテストモードであり、画面右側のテンキーの“１”を押すことでスキャナのテストモードが実行される。スキャナのテストモードは、コピーキーを押すと、光源ユニットが原稿を移動・走査する動作である。即ち、このモードは、光源の点灯、点灯した状態で光源ユニットの移動（往動）、光源を消灯させて復動などの動作が確実に行なわれているかどうかをテストするモードである。
【００５２】
画像処理装置１５０のパラメータを設定する画面の一例を図１２に示す。図１２の画面２９０は、定着ユニットに関する設定画面であり、設定項目が、アルファベットと共にリスト表示されている。図１２は、アップダウンキー２９２によって、アルファベットＡから始まる行が選択されて、反転表示されている状態を示している。この状態で、画面の右側に表示されたテンキーで“１７５”が入力され、ＯＫキーが押されるとその値が設定される。アルファベットＡから始まる行では、ヒータランプの温度を設定することができ、表示されている“１７５”が温度を示している。
【００５３】
＜第１のソフトウェア構成＞
以下、情報入力装置１６６が操作された場合に特殊画面を表示する処理について説明する。なお、以下において、特に明記しない場合、ＣＰＵ１８０が、ＲＯＭ１８２から読み出したプログラムを実行することによって各処理が実現される。また、以下において、表示パネル１７２に表示された画面の所定領域が押されるとは、タッチパネルの該当部分が押されることを意味する。
【００５４】
図１３を参照して、プログラムキー２２８が通常と異なる押し方で押された場合、特殊画面を表示する処理を実現するためのプログラムのステップ３００において、表示パネル１７２に第１画面を表示する。ここで第１画面は、例えば図７に示した画面２４０である。このとき、後述するように画面の表示が連続して所定時間以上続いた場合、待機画面（図５参照）に戻すために、タイマから現在時刻を取得して、スタート時刻として設定する（例えば、予め確保されたＲＡＭ１８４の所定領域に記憶する）。
【００５５】
ステップ３０２において、第１画面上の予め定められた特定位置が押されたか否かを判定する。特定位置は、例えば図７の日時表示領域２４２である。特定位置が押された場合、ステップ３０４に移行し、押されなかった場合、ステップ３１８に移行する。
【００５６】
ステップ３１８において、特定位置以外の位置にある他のキーが押されたか否かを判定する。他のキーは、例えば図７では「総使用枚数表示」、「宛先登録」、「ドキュメントファイリング登録」及び「給紙トレイ設定」と表示されたキー（以下、機能キーともいう）である。他のキーが押された場合、ステップ３２０に移行して、対応する画面を表示し、所定の処理を実行し、本プログラムは終了する。一方、何れのキーも押されなかった場合、ステップ３２２に移行する。
【００５７】
ステップ３２２において、現在時刻を取得し、ステップ３００で設定したスタート時刻からの経過時間を求め、予め設定された基準時間以上であるか否かを判定する。基準時間以上である場合、ステップ３１４に移行して待機画面を表示し、本プログラムは終了する。一方、基準時間以上でない場合、ステップ３０２に戻る。従って、第１画面が表示されてから、表示パネル１７２に対して有効な操作が成されないまま所定時間（基準時間）が経過した場合、初期画面に戻る。
【００５８】
ステップ３０４において、第２画面を表示し、タイマから現在時刻を取得してスタート時刻として設定し（例えば、ステップ３００でスタート時刻を記憶したＲＡＭ１８４の所定領域に上書き）、ステップ３０６に移行する。第２画面は、図９に示したパスワード入力画面２６０である。
【００５９】
ステップ３０６において、ＯＫキー２６６が押されたか否かを判定する。ＯＫキーが押された場合、ステップ３０８に移行し、ＯＫキー２６６が押されなかった場合、ステップ３１２に移行する。
【００６０】
ステップ３０８において、正しいパスワードが入力されているか否かを判定し、正しいパスワードであった場合、ステップ３１０において特殊モードに移行、即ち表示パネル１７２に特殊画面を表示して、特殊モードのプログラムを起動し、本プログラムを終了する。一方、パスワードが正しくなかった場合、ステップ３０４に戻り、再度パスワードの入力を受け付ける。ステップ３０４に戻るときに、例えば、パスワードが正しくない旨のメッセ−ジを表示する。
【００６１】
ステップ３１２において、キャンセルキー２６４が押されたか否かを判定し、押された場合、ステップ３１４に移行して待機画面を表示し、本プログラムは終了する。一方、キャンセルキーが押されなかった場合、ステップ３１６に移行してステップ３２２と同様に、ステップ３０４で設定したスタート時刻からの経過時間を求め、所定時間が経過したか否かを判定する。所定時間が経過していない場合、ステップ３０６に戻り、所定時間が経過した場合、ステップ３１４に移行して待機画面を表示し、本プログラムを終了する。
【００６２】
以上によって、情報入力装置１６６のプログラムキー２２８が通常と異なる押し方で押された場合に表示される第１画面において、特定位置が押された場合にのみ、特殊モードに移行するための第２画面を表示することができる。従って、特定位置を、一般にキーと思われない表示がなされている領域に設定しておけば、一般ユーザによって容易に特殊モードに移行することを防止することができる。このように、第２画面が容易に表示される可能性が非常に低いことに加えて、さらに、第２画面をパスワード入力画面としているので、容易に特殊モードに移行する危険性を従来よりも著しく低下させることができる。
【００６３】
上記では、第２画面としてパスワード入力画面２６０を表示する場合を説明したが、例えば図１４のフローチャートで示したように、第２画面として直接特殊画面を表示してもよい。図１４に示した各ステップは、図１３において同じ番号を付したステップと同じなので、説明は繰り返さない。
【００６４】
上記では、プログラムキー２２８が通常と異なる押し方で押された場合に第１画面が表示される場合を説明したが、これに限定されない。別のキーが押されたときに第１画面を表示してもよい。そのキーに何も機能が割り当てられていない場合には、そのキーが単に押された場合に、第１画面を表示すればよい。また、そのキーに何らかの機能が割り当てられている場合には、通常と異なる押し方で押された場合に、第１画面を表示すればよい。
【００６５】
［第２の実施の形態］
上記した画像処理装置１５０において、特殊モードに移行するための画面を表示する第２の実施の形態に関して以下に説明する。
【００６６】
＜表示パネルの画面表示例＞
図１５は、図５に示した情報入力装置１６６において、プログラムキー２２８が通常と異なる押し方で押された場合に、表示パネル１７２に表示される画面の第２の例を示す図である。図１５の画面３５０は、図７の画面２４０に類似するが、日時が表示される代わりに、隅の３か所に十字が表示されている。図１５に表示されている「総使用枚数表示」などの機能キーは、図７と同じなので、説明は繰り返さない。
【００６７】
画面３５０の隅に表示された十字は、同じ形状であるが、色が異なる。例えば、左下隅の十字が赤色、右上隅の十字が緑色、右下隅の十字が青色で表示される。これら３色の十字が表示された領域（以下、赤色十字キー３６０、緑色十字キー３６２、青色十字キー３６４という）が所定の順序で連続的に押された場合にのみ、特殊画面を表示して特殊モードに移行する。
【００６８】
図１６は、プログラムキー２２８が通常と異なる押し方で押された場合に、表示パネル１７２に表示される画面３７０であり、図１５の画面３５０に類似しているが、図１５とは３か所に表示される３色の十字キーの配置が異なる。図１６では、青色十字キー３６４が左下隅に、赤色十字キー３６０が右上隅に、緑色十字キー３６２が右下隅に表示されている。これらの十字キーが所定の順序で連続的に押された場合にのみ、特殊モードに移行する点は、図１５と同様である。
【００６９】
プログラムキー２２８が押された場合、全く同じ画面を表示してもよいが、本実施の形態では、上記したように、プログラムキー２２８が押された状況（例えば、押された日時）に応じて、またはランダムに、３色の十字キーの配置を変更する。但し、その場合でも、特殊モードに移行するための条件、即ち３色の十字キーが連続的に押されるべき順序は変更されない。
【００７０】
＜第２のソフトウェア構成＞
図１７を参照して、プログラムキー２２８が通常と異なる押し方で押された場合、特殊画面を表示する処理を実現するためのプログラムのステップ４００において、表示パネル１７２に第１画面を表示する。ここで第１画面は、例えば図１５または図１６に示した画面３５０、３７０である。このとき、後述するように画面の表示が連続して所定時間以上続いた場合、待機画面（図５参照）に戻すために、タイマから現在時刻を取得して、スタート時刻として設定する（例えば、予め確保されたＲＡＭ１８４の所定領域に記憶する）。
【００７１】
ステップ４０２において、赤色十字キー３６０が押されたか否かを判定する。赤色十字キー３６０が押された場合、タイマから現在時刻を取得してスタート時刻として設定し（例えば、ステップ４００でスタート時刻を記憶したＲＡＭ１８４の所定領域に上書き）、ステップ４０４に移行する。赤色十字キー３６０が押されなかった場合、ステップ４１０に移行する。
【００７２】
ステップ４１０の処理は図１８に示されている。具体的には、ステップ４３０において、表示パネル１７２に表示された機能キー（図１５、図１６参照）の何れかが押されたか否かを判定する。いずれかの機能キーが押された場合、ステップ４３２において、押された機能キーに対応する画面を表示し、本プログラムを終了する。何れの機能キーも押されていない場合、ステップ４３４において、現在時刻を取得して、ステップ４００で設定したスタート時刻からの経過時間を求め、予め設定された基準時間以上であるか否かを判定する。基準時間以上である場合、ステップ４３６に移行して待機画面を表示し、本プログラムを終了する。一方、基準時間以上でない場合、ステップ４０２に戻る。従って、第１画面が表示されてから、所定時間（基準時間）の間は、次のキー操作を待ち受けるが、表示パネル１７２に対して有効な操作が成されないまま所定時間が経過した場合、初期画面に戻る。
【００７３】
ステップ４０４において、緑色十字キー３６２が押されたか否かを判定し、緑色十字キー３６２が押された場合、タイマから現在時刻を取得してスタート時刻として設定し（例えば、ステップ４０２でスタート時刻を記憶したＲＡＭ１８４の所定領域に上書き）、ステップ４０６に移行し、押されなかった場合、ステップ４１２に移行する。
【００７４】
ステップ４１２の処理は、図１８に示したフローチャートと同じである。従って、赤色十字キー３６０が押されてから（具体的には、ステップ４０２で設定したスタート時刻から）、所定時間（基準時間）の間は、次のキー操作を待ち受けるが、表示パネル１７２に対して有効な操作が成されないまま所定時間が経過した場合、初期画面に戻る。
【００７５】
ステップ４０６において、青色十字キー３６４が押されたか否かを判定し、青色十字キー３６４が押された場合、ステップ４０８に移行して特殊モードに移行する。青色十字キー３６４が押されなかった場合、ステップ４１４に移行する。ステップ４１４の処理は、図１８に示したフローチャートと同じである。従って、緑色十字キー３６２が押されてから（具体的には、ステップ４０４で設定されたスタート時刻から）、所定時間（基準時間）の間は、次のキー操作を待ち受けるが、表示パネル１７２に対して有効な操作が成されないまま所定時間が経過した場合、初期画面に戻る。
【００７６】
以上によって、情報入力装置１６６のプログラムキー２２８が押された場合に表示される第１画面（図１５または図１６）において、３色の十字キーが所定の順序で押された場合にのみ、特殊モードに移行することができる。画面の隅に表示された十字キーは、一般に機能キーとは認識されないので、一般ユーザによって容易に特殊モードに移行することを防止することができる。
【００７７】
また、３色の十字キーの表示位置を適宜変更することによって、３つの十字キーを押す順序が変化するので、一般ユーザによって容易に特殊モードに移行することを、より確実に防止することができる。さらに、仮に十字の表示領域が機能キーであることが知られたとしても、３色の十字キーの表示位置を適宜変更することによって、表示パネル１７２を押す場所の順序が変化するので、一般ユーザによって特殊モードに移行することを防止することができる。
【００７８】
なお、３色の十字キーが所定の順序で押された場合、直接特殊モードに移行せずに、パスワード入力画面（図９参照）を表示し、認証をパスした場合に特殊モードに移行するようにした場合には、一般ユーザによって特殊モードに移行することをより一層確実に防止することができる。
【００７９】
上記では、画面の隅に十字を表示する場合を説明したが、これに限定されず、相互に色が異なる、一般にキーとして認識されない文字、記号、又は図形であればよく、単なるデザインと認識されるような図形であればより望ましい。また、隅に表示される図形などの色は、異なる３色であればよく、赤色、緑色及び青色に限定されない。
【００８０】
［第３の実施の形態］
上記した画像処理装置１５０において、特殊モードに移行するための画面を表示する第３の実施の形態に関して以下に説明する。
【００８１】
＜表示パネルの画面表示例＞
図１９は、図５に示した情報入力装置１６６において、プログラムキー２２８が通常と異なる押し方で押された場合に、表示パネル１７２に表示される画面の第３の例を示す図である。図１９の画面４５０は、図７の画面２４０に類似するが、日時が表示される代わりに、隅の３か所にＲ、Ｇ、Ｂの文字が表示されている。図１９に表示されている「総使用枚数表示」などの機能キーは、図７と同じなので、説明は繰り返さない。
【００８２】
画面の隅に表示されたＲ、Ｇ、Ｂの文字は、同じ色であってもよいが、異なる色であってもよい。例えば、左下隅のＲ文字が赤色、右上隅のＧ文字が緑色、右下隅のＢ文字が青色で表示されていてもよい。これらＲ文字、Ｇ文字、Ｂ文字が表示された領域（以下、Ｒキー４６０、Ｇキー４６２、Ｂキー４６４という）が所定の順序で連続的に押された場合にのみ、パスワード入力画面（図９参照）を表示し、認証をパスした場合に特殊画面を表示して特殊モードに移行する。
【００８３】
図２０は、プログラムキー２２８が通常と異なる押し方で押された場合に、表示パネル１７２に表示される画面４７０であり、図１９の画面４５０に類似しているが、図１９とは、３か所に表示されるＲキー４６０、Ｇキー４６２、Ｂキー４６４の配置が異なる。図２０では、Ｂキー４６４が左下隅に、Ｒキー４６０が右上隅に、Ｇキー４６２が右下隅に表示されている。これらＲキー４６０、Ｇキー４６２、Ｂキー４６４が所定の順序で連続的に押された場合にのみ、特殊モードに移行するためのパスワード入力画面を表示する点は、図１９と同様である。
【００８４】
プログラムキー２２８が通常と異なる押し方で押された場合、全く同じ画面が表示されてもよいが、本実施の形態では、上記したように、プログラムキー２２８が押された状況（例えば、押された日時）に応じて、またはランダムに、Ｒキー４６０、Ｇキー４６２、Ｂキー４６４の配置を変更する。但し、その場合でも、特殊モードに移行するための条件、即ちＲキー４６０、Ｇキー４６２、Ｂキー４６４が連続的に押されるべき順序は変更されない。
【００８５】
＜第３のソフトウェア構成＞
図２１を参照して、プログラムキー２２８が通常と異なる押し方で押された場合、特殊画面を表示する処理を実現するためのプログラムのステップ５００において、表示パネル１７２に第１画面を表示する。ここで第１画面は、例えば図１９または図２０に示した画面４５０、４７０である。このとき、後述するように画面の表示が連続して所定時間以上続いた場合、待機画面（図５参照）に戻すために、タイマから現在時刻を取得して、スタート時刻として設定する（例えば、予め確保されたＲＡＭ１８４の所定領域に記憶する）。
【００８６】
ステップ５０２において、Ｒキー４６０が押されたか否かを判定し、Ｒキー４６０が押された場合、タイマから現在時刻を取得してスタート時刻として設定し（例えば、ステップ５００でスタート時刻を記憶したＲＡＭ１８４の所定領域に上書き）、ステップ５０４に移行し、Ｒキー４６０が押されなかった場合、ステップ５１０に移行する。
【００８７】
ステップ５１０の処理は図２２に示されている。具体的には、ステップ５３０において、Ｇキー４６２及びＢキー４６４の何れかが押されたか否かを判定し、Ｇキー４６２及びＢキー４６４の何れかが押された場合、ステップ５０２に戻る。一方、どちらのキーも押されなかった場合、ステップ５３２に移行して、Ｒキー４６０、Ｇキー４６２、Ｂキー４６４以外の他のキー（機能キー）が押されたか否かを判定する。何れかの機能キーが押された場合、ステップ５３４において、押された機能キーに対応する画面を表示し、本プログラムを終了する。一方、何れの機能キーも押されなかった場合、ステップ５３６において、現在時刻を取得して、ステップ５００で設定したスタート時刻からの経過時間を求め、予め設定された基準時間以上であるか否かを判定する。基準時間以上である場合、ステップ５３８に移行して待機画面を表示し、本プログラムを終了する。一方、基準時間以上でない場合、ステップ５０２に戻る。従って、第１画面が表示されてから、所定時間（基準時間）の間は、Ｒキー４６０が押されるのを待ち受けるが、表示パネル１７２に対して有効な操作が成されないまま所定時間が経過した場合、初期画面に戻る。
【００８８】
ステップ５０４において、Ｇキー４６２が押されたか否かを判定し、Ｇキー４６２が押された場合、タイマから現在時刻を取得してスタート時刻として設定し（例えば、ステップ５０２でスタート時刻を記憶したＲＡＭ１８４の所定領域に上書き）、ステップ５０６に移行し、Ｇキー４６２が押されなかった場合、ステップ５１２に移行する。ステップ５１２の処理は、図２２に示したフローチャートと同様である。即ち、図２２のステップ５３０において、Ｂキー４６４及びＲキー４６０の何れかが押されたか否かを判定する点、及び、復帰する先がステップ５０４である点だけが異なる。従って、重複する説明は繰り返さない。ステップ５１２では、Ｒキー４６０が押されてから（具体的には、ステップ５０２で設定されたスタート時刻から）、所定時間（基準時間）の間は、Ｇキー４６２が押されるのを待ち受けるが、表示パネル１７２に対して有効な操作が成されないまま所定時間が経過した場合、初期画面に戻る。
【００８９】
ステップ５０６において、Ｂキー４６４が押されたか否かを判定し、Ｂキー４６４が押された場合、ステップ５０８に移行し、Ｂキー４６４が押されなかった場合、ステップ５１４に移行する。ステップ５１４の処理は、図２２に示したフローチャートと同様である。即ち、図２２のステップ５３０において、Ｒキー４６０及びＧキー４６２の何れかが押されたか否かを判定する点、及び、復帰する先がステップ５０６である点だけが異なる。従って、重複する説明は繰り返さない。ステップ５１４では、Ｇキー４６２が押されてから（具体的には、ステップ５０４で設定されたスタート時刻から）、所定時間（基準時間）の間は、Ｂキー４６４が押されるのを待ち受けるが、表示パネル１７２に対して有効な操作が成されないまま所定時間が経過した場合、初期画面に戻る。
【００９０】
ステップ５０８の処理は、図２３に示されている。ステップ５６０において、第２画面を表示し、タイマから現在時刻を取得してスタート時刻として設定する（例えば、ステップ５０４でスタート時刻を記憶したＲＡＭ１８４の所定領域に上書きする）。第２画面は、図９に示したパスワード入力画面２６０である。
【００９１】
ステップ５６２において、ＯＫキー２６６が押されたか否かを判定する。ＯＫキー２６６が押された場合、ステップ５６４に移行し、ＯＫキー２６６が押されなかった場合、ステップ５６８に移行する。
【００９２】
ステップ５６４において、正しいパスワードが入力されたか否かを判定し、正しいパスワードであった場合、ステップ５６６において特殊モードに移行、即ち表示パネル１７２に特殊画面を表示して、特殊モードのプログラムを起動し、本プログラムを終了する。一方、パスワードが正しくなかった場合、ステップ５６０に戻り、再度パスワードの入力を受け付ける。ステップ５６０に戻るときに、例えば、パスワードが正しくない旨のメッセ−ジを表示する。
【００９３】
ステップ５６８において、キャンセルキー２６４が押されたか否かを判定し、キャンセルキー２６４が押された場合、ステップ５７０に移行して待機画面を表示し、本プログラムは終了する。一方、キャンセルキー２６４が押されなかった場合、ステップ５７２に移行して、ステップ５６０で設定したスタート時刻からの経過時間を求め、所定時間が経過したか否かを判定する。所定時間が経過していない場合、ステップ５６２に戻る。所定時間経過している場合、ステップ５７０に移行して待機画面を表示し、本プログラムを終了する。
【００９４】
以上によって、情報入力装置１６６のプログラムキー２２８が通常と異なる押し方で押された場合に表示される第１画面（図１９または図２０）において、Ｒキー４６０、Ｇキー４６２、Ｂキー４６４の順序で連続して押された場合にのみ、特殊モードに移行することができる。画面の隅に表示されたＲ、Ｇ、Ｂ文字は、一般に機能キーとは認識されないので、一般ユーザによって容易に特殊モードに移行することを防止することができる。また、Ｒキー４６０、Ｇキー４６２、Ｂキー４６４の表示位置を適宜変更することによって、３つのキーを押す順序が変化するので、一般ユーザによって容易に特殊モードに移行することを、より確実に防止することができる。さらに、仮にＲ、Ｇ、Ｂ文字が機能キーであることが知られたとしても、Ｒキー４６０、Ｇキー４６２、Ｂキー４６４の表示位置を適宜変更することによって、表示パネル１７２を押す場所の順序が変化するので、一般ユーザによって特殊モードに移行することを防止することができる。
【００９５】
なお、Ｒキー４６０、Ｇキー４６２、Ｂキー４６４が所定の順序で連続的に押された場合、ステップ５０８において第２画面として、パスワード入力画面２６０を表示せずに、直接特殊画面を表示してもよい。
【００９６】
上記では、プログラムキー２２８が通常と異なる押し方で押された場合に、第１画面（図１９の画面４５０、又は、図２０の画面４７０）を表示し、第１画面上での所定のキー操作によって直接、又はパスワード入力画面２６０を経由して特殊モードに移行できる場合を説明したが、第１画面を表示するときに、上記した特殊モードに移行する機能（以下、特殊モード移行機能という）を有効にするか無効にするかを設定するようにしてもよい。例えば、プログラムキー２２８の押され方に応じて、特殊モード移行機能を有効または無効にしてもよい。例えば、プログラムキー２２８が長押しされた場合、又は、ダブルクリックされた場合に応じて、特殊モード移行機能の有効、無効を設定することができる。即ち、プログラムキー２２８が長押しされた場合、特殊モード移行機能を無効にして第１画面を表示し、プログラムキー２２８がダブルクリックされた場合、特殊モード移行機能を有効にして第１画面を表示するようにすることができる。また、有効／無効の条件をこれらと逆にすることもできる。
【００９７】
図２４を参照して、プログラムキー２２８が長押しされた場合、特殊モード移行機能を無効にして第１画面を表示する処理を実行するプログラムのステップ５００において、表示パネル１７２に第１画面を表示する。ここで第１画面は、図１９又は図２０に示した画面４５０、４７０である。このとき、画面の表示が連続して所定時間以上続いた場合、待機画面（図５参照）に戻すために、タイマから現在時刻を取得して、スタート時刻として設定する（例えば、予め確保されたＲＡＭ１８４の所定領域に記憶する）。
【００９８】
ステップ５９０において、Ｒキー４６０、Ｇキー４６２及びＢキー４６４の何れかが押されたか否かを所定の時間間隔で判定する。Ｒキー４６０、Ｇキー４６２及びＢキー４６４の何れかが押された場合、何もせずに、再度ステップ５９０の判定を行なう。Ｒキー４６０、Ｇキー４６２及びＢキー４６４の何れのキーも押されなかった場合、ステップ５９２に移行する。
【００９９】
ステップ５９２において、Ｒキー４６０、Ｇキー４６２及びＢキー４６４以外の他のキー（機能キー）が押されたか否かを判定する。何れかの機能キーが押された場合、ステップ５９４に移行し、押された機能キーに対応する画面を表示し、本プログラムを終了する。一方、何れの機能キーも押されなかった場合、ステップ５９６において、現在時刻を取得して、ステップ５００で設定したスタート時刻からの経過時間を求め、予め設定された基準時間以上であるか否かを判定する。基準時間以上である場合、ステップ５９８に移行して待機画面を表示し、本プログラムを終了する。一方、基準時間以上でない場合、ステップ５９０に戻る。
【０１００】
従って、第１画面が表示されてから、所定時間（基準時間）の間は、機能キーが押されるのを待ち受けるが、Ｒキー４６０、Ｇキー４６２及びＢキー４６４の何れかが押されるだけで、表示パネル１７２に対して有効な操作が成されないまま所定時間が経過した場合、初期画面に戻る。
【０１０１】
上記では、プログラムキーが通常と異なる押し方で押されたとき（長押し、ダブルクリックを含む）に第１画面を表示する場合を説明したが、第１画面が表示される操作条件は任意である。例えば、プログラムキー２２８を、短い時間間隔で３回以上連続して押したときに第１画面を表示してもよく、プログラムキー２２８を押している間だけ第１画面を表示してもよい。
【０１０２】
また、第１画面を表示するきっかけとなる操作は、操作パネルに配置されたハードキーに対する操作ではなく、表示パネルに表示されたソフトキーに対する操作であってもよい。
【０１０３】
また、第１の実施の形態において、第２画面２６０を表示するための日時表示領域２４２に対する操作は任意である。例えば、長押しされた場合又はダブルクリックされた場合などに、第２画面２６０を表示するようにしてもよい。
【０１０４】
また、第２及び第３の実施の形態において、第１画面に表示する図形などの数及び位置は任意であり、４隅の全てに表示してもよく、４隅以外の位置に表示してもよい。
【０１０５】
また、情報入力装置は、少なくとも１つのハードキーとタッチ入力可能な表示パネルとから構成されてもよい。さらには、タッチ入力可能な表示パネルのみで構成されていてもよい。
【０１０６】
また、所定のハードキーが長押しされた場合にのみ第１画面を表示し、その状態が保持されたまま、第２画面を表示させるための所定領域（日時表示領域など）が押された場合に、第２画面を表示するようにすることもできる。この場合、所定のハードキーが長押しされて一旦第１画面が表示された場合でも、そのハードキーが押された状態が解除されると、第１画面が消えて元の画面に戻ることになる。従って、２本の指（片手でも、両手でもよい）を同時に使用することが必要であるが、容易に特殊画面が表示される可能性をより低減することができる。なお、第２画面を表示するために第１画面上で行なわれる操作は、第１から第３の実施の形態において示した操作の何れであってもよい。
【０１０７】
また、第１画面として、選択を要求する画面（図７、図１５、図１６、図１９、図２０）を表示する場合を説明したが、これに限定されない。第１画面は、例えば、図２５に示した画面６１０のようにユーザに選択を要求しない画面、即ち、何ら操作を要求しない画面であってもよい。画面６１０は、画像処理装置１５０に関する情報を表示する領域と、押されると第２画面を表示するための領域とを含んでいる。
【０１０８】
「選択を要求する」とは、画面上の特定部分を押すことをユーザに要求すること、即ち、その部分を押せば何らかの別の画面が開くこと、特に、画像処理装置に関する設定を行なう画面が開くことを、ユーザに予期させる、又は、ユーザがそのことを容易に理解できるようにすることを意味する。また、「選択を要求しない」とは、画面上の特定部分を押すことをユーザに要求しないこと、即ち、その部分を押しても新たに何も表示されないこと、特に、画像処理装置に関する設定を行なう画面が開かないことを、ユーザに予期させる、又は、ユーザがそのことを容易に理解できるようにすることを意味する。したがって、例えば「選択を要求する情報」とは、その情報が表示された部分を押せば別の画面（特に、画像処理装置に関する設定を行なう画面）が開くことを、ユーザに予期させる情報、又は、ユーザが容易に理解できる情報を意味する。また、「選択を要求しない情報」とは、その情報が表示された部分を押しても何も表示されない（特に、画像処理装置に関する設定を行なうことはできない）ことを、ユーザに予期させる情報、又は、ユーザが容易に理解できる情報を意味する。即ち、ユーザは「選択を要求しない情報」を見ても、その表示領域を押すことは考えない。
【０１０９】
図２５の画面６１０には、押されると第２画面を表示するための領域として日時表示領域２４２が含まれているが、特定情報表示領域６１２には、図７などのように選択を要求する表示（「総使用枚数表示」、「宛先登録」、「ドキュメントファイリング登録」及び「給紙トレイ設定」）は含まれていない。ここで、「特定情報」とは画像処理装置に直接関係する情報を意味する。特定情報表示領域６１２には、画像処理装置に直接関係する情報として、画像処理装置本体に接続可能なオプションの接続状況が表示されている。「原稿送り装置」は、トレイにセットされた原稿を自動的に搬送する装置を表し、「ＦＡＸ」は、ファクシミリ送信するための内臓回路ボードを表し、「ソータ」は、印刷されて排出トレイに排出される記録紙を、指定された順序に並べ替える等の後処理装置を表し、「ＬＣＣ」は、通常のカセットよりも多くの記録紙を収納できる大容量カセット（Ｌａｒｇｅ  Ｃａｐａｃｉｔｙ  Ｃａｓｓｅｔｔｅ）を表す。画面６１０は、画像処理装置に、原稿送り装置、ＦＡＸ、及びソータが接続されており、ＬＣＣは接続されていないという情報を表している。
【０１１０】
画面６１０において、特定情報表示領域６１２及び日時表示領域２４２は、選択を要求しない情報の表示になっているので、ユーザは表示されている情報を見るだけである。従って、ユーザがタッチして特殊モードを起動してしまう可能性を低減し、画像処理装置の設定がユーザによって容易に変更されることを防止することが可能となる。なお、押されると第２画面を表示する領域に表示される情報は文字情報に限定されず、文字、記号及び図形の少なくとも１つを含む情報であればよい。
【０１１１】
さらに、画像処理装置の情報を表示する領域と、押されると第２画面を表示するための領域とに、種類が異なる情報を表示することが好ましい。特定情報表示領域６１２に表示される情報と、押されると第２画面を表示するための領域（日時表示領域２４２）に表示される情報とは、情報の種類が異なるので、ユーザは表示された複数の情報を読むだけであり、表示された情報にあえてタッチしようとは思わない。
【０１１２】
また、第１の実施の形態において、第１画面２４０上の日時表示領域２４２が押されたときに第２画面２６０を表示する場合を説明したが、日時表示領域に表示される情報は、年、月、日、曜日、及び時刻のうちの１つの情報、又は、それらのいくつかを組合せた情報であってもよい。また、押されると第２画面を表示するための領域は、日時表示以外の表示であってもよい。即ち、その領域の表示は、何らかの操作を要求する表示ではなく、押されることで画像処理装置に対して何らかの指示をすることが意図された情報を含まない表示であればよい。例えば、画像処理装置とは直接関係しない一般的な情報を表示する領域であってもよい。
【０１１３】
図２６に示す画面６２０は、図７に示した画面２４０と同様の画面であるが、異なる点は、右下隅の領域（押されたときに第２画面２６０を表示する領域）に日時ではなく別の情報が表示されている点である。即ち、一般情報表示領域２４４には、画像処理装置に装備された温度センサ及び湿度センサにより検知された、画像処理装置の周りの気温及び湿度が表示されている。この温度センサ及び湿度センサの検出値に基づいて、画像処理装置を制御することはない。この情報は、画像処理装置に直接関係しない情報であり、ユーザが変更できない情報であるので、ユーザは一般情報表示領域２４４を押そうとはしない。
【０１１４】
また、図２７に示す画面６３０は、図９に示した画面２６０と同様の画面であるが、異なる点は、右下隅の一般情報表示領域２４４（押されたときに第２画面２６０を表示する領域）に、画像処理装置の周りの気温及び湿度が表示されている点である。同様に、図２８に示す画面６４０は、図２５に示した画面６１０と同様の画面であるが、右下隅の一般情報表示領域２４４（押されたときに第２画面２６０を表示する領域）に、画像処理装置の周りの気温及び湿度が表示されている。
【０１１５】
また、一般情報表示領域２４４の表示位置は、画面の右下隅に限定されない。例えば、図２９に示すように、一般情報表示領域２４４は画面６５０の左下隅に表示されてもよい。
【０１１６】
以上、実施の形態を説明することにより本発明を説明したが、上記した実施の形態は例示であって、本発明は上記した実施の形態に限定されるものではなく、種々変更して実施することができる。
【符号の説明】
【０１１７】
１５０  画像処理装置
１５２  原稿読取部
１５４  画像形成部
１５６  給紙部
１５８  排紙処理装置
１６６  情報入力装置
１６８  排紙トレイ
１７０  操作パネル
１７２  表示パネル
１８０  ＣＰＵ
１８２  ＲＯＭ
１８４  ＲＡＭ
１８６  ＨＤＤ
１９０  画像メモリ
１９２  バス
１９４  ＮＩＣ
１９６  ネットワーク
２２０  テンキー
２２２  白黒印刷スタートキー
２２４  カラー印刷スタートキー
２２６  全解除キー
２２８  プログラムキー
【図１】
0005296766.tif 000002
【図２】
0005296766.tif 000003
【図３】
0005296766.tif 000004
【図４】
0005296766.tif 000005
【図５】
0005296766.tif 000006
【図６】
0005296766.tif 000007
【図７】
0005296766.tif 000008
【図８】
0005296766.tif 000009
【図９】
0005296766.tif 000010
【図１０】
0005296766.tif 000011
【図１１】
0005296766.tif 000012
【図１２】
0005296766.tif 000013
【図１３】
0005296766.tif 000014
【図１４】
0005296766.tif 000015
【図１５】
0005296766.tif 000016
【図１６】
0005296766.tif 000017
【図１７】
0005296766.tif 000018
【図１８】
0005296766.tif 000019
【図１９】
0005296766.tif 000020
【図２０】
0005296766.tif 000021
【図２１】
0005296766.tif 000022
【図２２】
0005296766.tif 000023
【図２３】
0005296766.tif 000024
【図２４】
0005296766.tif 000025
【図２５】
0005296766.tif 000026
【図２６】
0005296766.tif 000027
【図２７】
0005296766.tif 000028
【図２８】
0005296766.tif 000029
【図２９】
0005296766.tif 000030